(57)【要約】【課題】簡素な構成にて円滑にレーザ光を２つの対物レンズに振り分けることができる光ピックアップ装置およびそれを内蔵した光ディスク装置を提供する。【解決手段】レンズホルダ４１に１／２波長板１３、１４を装着し、コリメートレンズ１７、２２と１／２波長板１３、１４を共通のモータ４５で駆動する。レンズホルダ４１が第１の位置（コリメートレンズ２２のサーボ位置）に移動されると、１／２波長板１３が光路に挿入される。これにより、レーザ光はＳ偏光となって偏光ビームスプリッタ１５にて反射され、ＢＤ用対物レンズ２６に導かれる。レンズホルダ４１の移動によってレンズホルダ４６が第２の位置（コリメートレンズ１７のサーボ位置）に移動されると、１／２波長板１４が光路に挿入される。これにより、レーザ光はＰ偏光となって偏光ビームスプリッタ１５を透過し、ＨＤ用対物レンズ２１に導かれる。【選択図】図５
2008192205.tif 000002
【特許請求の範囲】
【請求項１】
所定波長のレーザ光を出射するレーザ光源と、
前記レーザ光を記録媒体上に収束させる第１および第２の対物レンズと、
前記レーザ光源と前記第１および第２の対物レンズとの間に配された偏光ビームスプリッタと、
前記偏光ビームスプリッタによって分割された２つの前記レーザ光をそれぞれ前記第１および第２の対物レンズへと導く第１および第２の光学系と、
前記第１および第２の光学系にそれぞれ配され且つ前記レーザ光の光学特性を調整するために前記レーザ光の光軸方向に移動される第１および第２の光学素子と、
前記第１の光学素子を保持する第１のホルダを前記レーザ光の光軸方向に変位可能に支持する第１のアクチュエータと、
前記第２の光学素子を保持する第２のホルダを前記レーザ光の光軸方向に変位可能に支持する第２のアクチュエータと、
前記第１のアクチュエータに駆動力を付与する駆動部と、
前記第１のアクチュエータよりも駆動ストロークが小さくなるよう前記駆動力を前記第２のアクチュエータに伝達する伝達機構と、
前記レーザ光源と前記偏光ビームスプリッタの間の光路に挿脱されることにより前記偏光ビームスプリッタに入射する際のレーザ光の偏光方向を変化させる波長板とを備え、
前記第１および第２の光学素子は、前記波長板の挿脱方向に移動し、
前記波長板は、前記第１のホルダに一体化された支持部に配され、
前記第１のアクチュエータは、前記第１の光学素子による光学特性調整のためのストロークの他これを越える追加ストロークにおいて前記第１のホルダを移動させ、
前記第１のホルダが前記光学調整のためのストロークと前記追加ストロークの間で移動することにより前記波長板が前記光路に対し挿脱され、
前記第１のホルダが前記光学調整のためのストロークにあるとき前記第１の光学系に前記レーザ光が導かれるよう前記偏光ビームスプリッタに入射する際のレーザ光の偏光方向が調整され、
前記第１のホルダが前記追加ストロークにあるとき前記第２の光学系に前記レーザ光が導かれるよう前記偏光ビームスプリッタに入射する際のレーザ光の偏光方向が調整されるとともに、前記第２のホルダが前記第２の光学素子による光学調整のためのストロークに位置づけられる、
ことを特徴とする光ピックアップ装置。
【請求項２】
請求項１に記載の光ピックアップ装置において、
前記第１および第２の光学素子は、前記レーザ光に生じる収差を補正するためのレンズである、
ことを特徴とする光ピックアップ装置。
【請求項３】
請求項１または２に記載の光ピックアップ装置において、
前記波長板は、前記レーザ光を前記偏光ビームスプリッタに対してＰ偏光およびＳ偏光とする第１および第２の波長板領域を備え、前記第１のホルダが前記第１の光学素子による光学調整のためのストロークと前記追加ストロークの何れにあるかに応じて、前記光路に挿入される対象が前記第１および第２の波長板領域の間で切り替えられる、
ことを特徴とする光ピックアップ装置。
【請求項４】
請求項１または２に記載の光ピックアップ装置において、
前記波長板に入射する前の前記レーザ光の偏光方向は、前記偏光ビームスプリッタに対しＰ偏光またはＳ偏光となっており、
前記波長板は、前記レーザ光の偏光方向を９０°回転させる波長板領域とこの波長板領域と同じ光路長の厚みの透明板領域からなり、前記第１のホルダが前記第１の光学素子による光学調整のためのストロークと前記追加ストロークの何れにあるかに応じて、前記光路に挿入される対象が前記波長板領域と前記透明板領域の間で切り替えられる、
ことを特徴とする光ピックアップ装置。
【請求項５】
請求項１ないし４の何れか一項に記載の光ピックアップ装置と、
前記駆動部を制御して前記第１および第２の対物レンズに入射される前記レーザ光の光学特性を調整するとともに前記第１および第２の光学系のうち何れに前記レーザ光を導くかを制御するサーボ回路とを備える、
ことを特徴とする光ディスク装置。
【発明の詳細な説明】
【技術分野】
【０００１】
本発明は、光ピックアップ装置およびそれを内蔵した光ディスク装置に関し、特に、共通の光源から出射されたレーザ光を２つの対物レンズに振り分けるタイプの互換型光ピックアップ装置およびそれを内蔵した光ディスク装置に用いて好適なものである。
【背景技術】
【０００２】
現在、青色波長のレーザ光を用いる光ディスクとして、ＢＤ（ブルーレイディスク）とＨＤＤＶＤ（High-Definition Digital Versatile Disc）の２つが存在する。これらは互いにカバー層の厚みが相違するため、両ディスクに対応可能な互換型の光ピックアップ装置では、各ディスクに適応する２つの対物レンズが配され、一つの半導体レーザから出射された青色波長のレーザ光が、光学系によって、それぞれの対物レンズに割り振られる構成となっている。
【０００３】
以下の特許文献１には、一つの光源から出射されたレーザ光を２つの対物レンズに振り分けるタイプの光ピックアップ装置が記載されている。ここでは、レーザ光を２つの対物レンズに振り分けるために、液晶セルと偏光ビームスプリッタが用いられている。すなわち、液晶セルによってレーザ光の偏光方向が偏光ビームスプリッタに対しＰ偏光とＳ偏光の何れかに変化される。Ｐ偏光となった場合、レーザ光は偏光ビームスプリッタを透過して第１の対物レンズに導かれ、Ｓ偏光となった場合、レーザ光は偏光ビームスプリッタによって反射されてレーザ光が第１の対物レンズに導かれる。
【特許文献１】特開平１１−１２０６０６号公報
【発明の開示】
【発明が解決しようとする課題】
【０００４】
しかしながら、かかる従来技術によれば、レーザ光を２つの対物レンズに振り分ける手段として液晶セルが用いられるため、光ピックアップ装置のコストが上昇し、また、液晶セルを通過する際にレーザ光の強度が減衰するとの問題が生じる。また、何れの対物レンズにレーザ光を導くかに応じて液晶セルを駆動制御する回路および構成が別途必要となるとの問題も生じる。
【０００５】
本発明は、このような問題を解消するためになされたものであり、簡素な構成にて円滑にレーザ光を２つの対物レンズに振り分けることができる光ピックアップ装置およびそれを内蔵した光ディスク装置を提供することを課題とする。
【課題を解決するための手段】
【０００６】
上記課題に鑑み本発明は、以下の特徴を有する。
【０００７】
請求項１の発明は、光ピックアップ装置に関するものである。この光ピックアップ装置は、所定波長のレーザ光を出射するレーザ光源と、前記レーザ光を記録媒体上に収束させる第１および第２の対物レンズと、前記レーザ光源と前記第１および第２の対物レンズとの間に配された偏光ビームスプリッタと、前記偏光ビームスプリッタによって分割された２つの前記レーザ光をそれぞれ前記第１および第２の対物レンズへと導く第１および第２の光学系と、前記第１および第２の光学系にそれぞれ配され且つ前記レーザ光の光学特性を調整するために前記レーザ光の光軸方向に移動される第１および第２の光学素子と、前記第１の光学素子を保持する第１のホルダを前記レーザ光の光軸方向に変位可能に支持する第１のアクチュエータと、前記第２の光学素子を保持する第２のホルダを前記レーザ光の光軸方向に変位可能に支持する第２のアクチュエータと、前記第１のアクチュエータに駆動力を付与する駆動部と、前記第１のアクチュエータよりも駆動ストロークが小さくなるよう前記駆動力を前記第２のアクチュエータに伝達する伝達機構と、前記レーザ光源と前記偏光ビームスプリッタの間の光路に挿脱されることにより前記偏光ビームスプリッタに入射する際のレーザ光の偏光方向を変化させる波長板とを備える。
【０００８】
ここで、前記第１および第２の光学素子は、前記波長板の挿脱方向に移動し、前記波長板は、前記第１のホルダに一体化された支持部に配され、前記第１のアクチュエータは、前記第１の光学素子による光学特性調整のためのストロークの他これを越える追加ストロークにおいて前記第１のホルダを移動させる。
【０００９】
そして、前記第１のホルダが前記光学調整のためのストロークと前記追加ストロークの間で移動することにより前記波長板が前記光路に対し挿脱され、前記第１のホルダが前記光学調整のためのストロークにあるとき前記第１の光学系に前記レーザ光が導かれるよう前記偏光ビームスプリッタに入射する際のレーザ光の偏光方向が調整され、前記第１のホルダが前記追加ストロークにあるとき前記第２の光学系に前記レーザ光が導かれるよう前記偏光ビームスプリッタに入射する際のレーザ光の偏光方向が調整されるとともに、前記第２のホルダが前記第２の光学素子による光学調整のためのストロークに位置づけられる。
【００１０】
この発明によれば、第１の光学素子を駆動する第１のアクチュエータを用いて波長板が光路中に挿脱され、レーザ光の入射対象が第１および第２の対物レンズの間で切り替えられる。よって、別途、波長板を駆動するための構成が不要となり、光ピックアップ装置の構成の簡素化が図られる。また、光路切り替え手段とした安価な波長板が用いられるため、光ピックアップ装置のコスト上昇を抑制できる。
【００１１】
さらに、この発明によれば、伝達機構におけるストローク緩衝作用により、第２のアクチュエータの駆動ストロークが抑制されるため、第２の光学系の光路を短縮できる。よって、この発明によれば、光学部品のレイアウト上、第２の光学系の光路を大きく取れない場合にも、共通の駆動部にて第２の光学素子を円滑に駆動することができる。
【００１２】
なお、第１および第２の光学素子は、たとえば、請求項２に記載のように、収差補正用のレンズとすることができる。以下の実施形態では、収差補正用レンズとしてコリメータレンズ１７または２２が開示されている。
【００１３】
請求項３の発明は、請求項１または２に記載の光ピックアップ装置において、前記波長板は、前記レーザ光を前記偏光ビームスプリッタに対してＰ偏光およびＳ偏光とする第１および第２の波長板領域を備え、前記第１のホルダが前記第１の光学素子による光学調整のためのストロークと前記追加ストロークの何れにあるかに応じて、前記光路に挿入される対象が前記第１および第２の波長板領域の間で切り替えられることを特徴とする。
【００１４】
また、請求項４の発明は、請求項１または２に記載の光ピックアップ装置において、前記波長板に入射する前の前記レーザ光の偏光方向は、前記偏光ビームスプリッタに対しＰ偏光またはＳ偏光となっており、前記波長板は、前記レーザ光の偏光方向を９０°回転させる波長板領域とこの波長板領域と同じ光路長の厚みの透明板領域からなり、前記第１のホルダが前記光学調整のためのストロークと前記追加ストロークの何れにあるかに応じて、前記光路に挿入される対象が前記波長板領域と前記透明板領域の間で切り替えられることを特徴とする。
【００１５】
上記請求項３のように、２つの波長板領域を用いて偏光ビームスプリッタに対するレーザ光の偏光方向をＰ偏光とＳ偏光の間で切り替えるようにすることができる。たとえば、偏光板が存在しないときのレーザ光の偏光方向をＰ偏光に対して４５°としておき、第１および第２の波長板領域によってこのレーザ光の偏光方向をＰ偏光およびＳ偏光の方向にそれぞれ４５°回転させるようにする。
【００１６】
また、これに代えて、上記請求項４のように、波長板に入射する前の前記レーザ光の偏光方向を、偏光ビームスプリッタに対しＰ偏光またはＳ偏光に調整しておき、波長板領域と透明板領域を用いて偏光ビームスプリッタに対するレーザ光の偏光方向をＰ偏光とＳ偏光の間で切り替えるようにすることもできる。この場合、透明板領域が存在せず単なる空間であっても、光路に対する波長板領域の挿脱によって、レーザ光の偏光方向はＰ偏光とＳ偏光の間で切り替えられる。しかし、単なる空間の場合には、波長板領域を透過したときのレーザ光と空間を通過したときのレーザ光の間に光路長の差が生じ、記録媒体からの反射光を受光する光検出器上において、両レーザ光の収束位置が光軸方向に前後するようになる。これに対し、本発明のように透明領域を配すると、波長板領域を透過したときと透明板領域を通過したときとでレーザ光の光路長に差が生じないため、光検出器上における両レーザ光の収束位置を整合させることができ、よって、共通の受光面にて両レーザ光を受光することができるようになる。
【００１７】
なお、光検出器上における両レーザ光の収束位置を整合させる必要がない場合は、透明版領域を省略し、この領域を単なる空間としても良い。
【００１８】
請求項５の発明は、光ディスク装置に関するものである。この光ディスク装置は、請求項１ないし４の何れか一項に記載の光ピックアップ装置と、前記駆動部を制御して前記第１および第２の対物レンズに入射される前記レーザ光の光学特性を調整するとともに前記第１および第２の光学系のうち何れに前記レーザ光を導くかを制御するサーボ回路とを備える。この発明によれば、上記請求項１ないし４と同様の効果が奏される。
【発明の効果】
【００１９】
以上のとおり本発明によれば、簡素な構成にて円滑にレーザ光を２つの対物レンズに振り分けることができる光ピックアップ装置およびそれを内蔵した光ディスク装置を提供することができる。
【００２０】
本発明の効果ないし意義は、以下に示す実施の形態の説明により更に明らかとなろう。ただし、以下の実施の形態は、あくまでも、本発明を実施化する際の例示形態であって、本発明は、以下の実施の形態に記載されたものに制限されるものではない。
【発明を実施するための最良の形態】
【００２１】
以下、本発明の実施の形態につき図面を参照して説明する。本実施の形態は、ブルーレイディスク（以下、「ＢＤ」という）とＨＤＤＶＤ（以下、「ＨＤ」という）に対応可能な光ピックアップ装置および光ディスク装置に本発明を適用したものである。
【００２２】
まず、図１を参照して実施の形態に係る光ピックアップ装置について説明する。なお、同図（ａ）は、光ピックアップ装置の光学系の平面図、同図（ｂ）は、同図（ａ）の立ち上げミラー１９、２４以降の部分を図中のＸ軸方向に見たときの側面図である。同図（ｂ）中、対物レンズホルダ３１は内部の構造が分かるよう断面図にて示されている。
【００２３】
同図（ａ）（ｂ）において、半導体レーザ１１は、波長４００ｎｍ程度のレーザ光を出射する。１／２波長板１２は、偏光ビームスプリッタ１５に対するレーザ光の偏光方向を調整するために配されている。ここで１／２波長板１２は、たとえば、偏光ビームスプリッタ１５に対するレーザ光の偏光方向がＰ偏光とＳ偏光に対して４５°の方向（同図（ｃ）の矢印方向）となるよう配置される。
【００２４】
１／２波長板１３は、１／２波長板１２を通過した後のレーザ光の偏光方向を偏光ビームスプリッタ１５に対しＳ偏光となるよう変換する。１／２波長板１４は、１／２波長板１２を通過した後のレーザ光の偏光方向を偏光ビームスプリッタ１５に対しＰ偏光となるよう変換する。これら２つの１／２波長板１３、１４は、コリメートレンズ２２を保持するレンズホルダ４１の舌片４１ａに配されている。なお、舌片４１ａには、１／２波長板１３、１４の配置位置に、１／２波長板１２を通過したレーザ光を偏光ビームスプリッタ１５方向へ導くための開口または切欠きが形成されている。
【００２５】
偏光ビームスプリッタ１５は、半導体レーザ１１側から入射されるレーザ光をその偏光方向に応じて透過または反射する。図示の如く、レーザ光が１／２波長板１３を透過する場合、レーザ光は、Ｓ偏光となって偏光ビームスプリッタ１５によって反射される。一方、図示の状態からレンズホルダ４１がＹ軸方向に変位し、レーザ光が１／２波長板１４を透過するようになると、レーザ光は、Ｐ偏光となって偏光ビームスプリッタ１５を透過する。
【００２６】
１／２波長板１４を透過したレーザ光（Ｐ偏光）は、偏光ビームスプリッタ１５を透過した後、ミラー１６によって反射され、コリメートレンズ１７によって平行光に変換される。その後、このレーザ光は、ミラー１８によって反射され、さらに、立ち上げミラー１９によってＨＤ用対物レンズ２１方向に反射される。
【００２７】
１／４波長板２０は、立ち上げミラー１９によって反射されたレーザ光を円偏光に変換するとともに、ディスクからの反射光を、ディスクへ向かう際の偏光方向に直交する直線偏光（Ｓ偏光）に変換する。これにより、ディスクによって反射されたレーザ光は偏光ビームスプリッタ１５によって反射され光検出器２８へと導かれる。ＨＤ用対物レンズ２１は、１／４波長板２０側から入射されたレーザ光をＨＤ上に収束させる。
【００２８】
１／２波長板１３を透過したレーザ光（Ｓ偏光）は、偏光ビームスプリッタ１５によって反射された後、コリメートレンズ２２によって平行光に変換される。その後、このレーザ光は、ミラー２３によって反射され、さらに、立ち上げミラー２４によってＢＤ用対物レンズ２６方向に反射される。
【００２９】
１／４波長板２５は、立ち上げミラー２４によって反射されたレーザ光を円偏光に変換するとともに、ディスクからの反射光を、ディスクへ向かう際の偏光方向に直交する直線偏光（Ｐ偏光）に変換する。これにより、ディスクによって反射されたレーザ光は偏光ビームスプリッタ１５を透過し光検出器２８へと導かれる。ＢＤ用対物レンズ２６は、１／４波長板２５側から入射されたレーザ光をＢＤ上に収束させる。
【００３０】
アナモレンズ２７は、ディスクによって反射されたレーザ光に非点収差を導入する。光検出器２８は、受光面に４分割センサを有し、ディスクによって反射されたレーザ光の光軸が４分割センサの２つの分割線の交点を貫くよう配置されている。４分割センサからの信号に基づいて、フォーカスエラー信号、トラッキングエラー信号および再生信号が生成される。
【００３１】
上記２つの１／４波長板２０、２５と、ＨＤ用対物レンズ２１およびＢＤ用対物レンズ２６は、同図（ｂ）に示す如く、共通の対物レンズホルダ３１に装着されている。この対物レンズホルダ３１は、磁気回路とコイルからなる周知の対物レンズアクチュエータによって、フォーカス方向およびトラッキング方向に駆動される。なお、対物レンズホルダ３１には、通常、コイルが配される。同図には、対物レンズアクチュエータのうちコイル３１のみ図示され、磁気回路は図示省略されている。
【００３２】
上記２つのコリメートレンズのうち、ＢＤ用のコリメートレンズ２２は、レンズホルダ４１に装着されている。レンズホルダ４１は、支持ベース上に平行に配された２本のガイドシャフト４２ａ、４２ｂによって、コリメートレンズ２２の光軸方向に移動可能に支持されている。レンズホルダ４１には、図中のＺ軸方向に一定の幅を有する板状の舌片４１ａが形成され、この舌片４１ａの片面に、上記の如く、１／２波長板１３、１４が装着されている。
【００３３】
また、レンズホルダ４１には、図中のＺ軸方向に弾性的に撓み得る板状部４１ｂが形成されており、この板状部４１ｂの下面にラックギア４４が配されている。一方、支持ベースにはモータ４５が設置され、モータ４５の回転軸にウォームギア４５ａが形成されている。このモータ４５は、たとえばステッピングモータによって構成される。レンズホルダ４１の板状部４１ｂ下面に配されたラックギア４４は、ウォームギア４５ａと噛合するようモータ４５の回転軸に圧接されている。よって、モータ４５が駆動されると、その駆動力がウォームギア４５ａとラックギア４４を介してレンズホルダ４１に伝達される。これを受けて、レンズホルダ４１がコリメートレンズ２２の光軸方向に移動する。
【００３４】
なお、ガイドシャフト４２ａにはバネ４３が挿入されており、このバネ４３によってレンズホルダ４１がモータ４５の方向に付勢されている。この付勢によって、長手方向におけるモータ軸の機械的な遊びが解消されている。
【００３５】
また、ＨＤ用のコリメートレンズ１７は、レンズホルダ４６に装着されている。レンズホルダ４６は、上記ガイドシャフト４２ｂとこれに平行に支持ベース上に配されたガイドシャフト４２ｃによって、コリメートレンズ１７の光軸方向に移動可能に支持されている。したがって、ガイドシャフト４２ｂには、レンズホルダ４１とレンズホルダ４６の両方が支持されている。このうち、レンズホルダ４６側の２つの被支持部（以下、「第２の被支持部４６ａ、４６ｂ」という）は、レンズホルダ４１側の被支持部（以下、「第１の被支持部４１ｃ」という）を図中のＹ軸方向に挟むよう配されている。また、第１の被支持部４１ｃと第２の被支持部４６ａ、４６ｂの間には所定の隙間が存在している。
【００３６】
なお、ガイドシャフト４２ｂにはバネ４７が挿入されており、このバネ４７の付勢によって、レンズホルダ４６が支持ベース上のストッパ４８に圧接されている。
【００３７】
図２は、レンズホルダ４１、４６の駆動ストロークを説明する図である。
【００３８】
同図（ａ）を参照して、レンズホルダ４１は、ＢＤ装着時の収差補正動作の際、ストロークＳａの範囲で駆動される。この場合、第１の被支持部４１ｃは、第２の被支持部４６ａ、４６ｂに当接せず、第２の被支持部４６ａ、４６ｂ間を移動する。また、第１の被支持部４１ｃと第２の被支持部４６ａ、４６ｂの間には、このストロークＳａの他にストロークＳｂが残されている。
【００３９】
ＨＤ装着時には、レンズホルダ４１が、同図（ａ）の状態から、ストロークＳｂを超えてさらに同図下方に移動される。このとき、第１の被支持部４１ｃは移動途中に第２の被支持部４６ｂに当接し、この状態からさらにレンズホルダ４１が同図下方に移動されることにより、レンズホルダ４６は、バネ４７の付勢に抗して、同図（ｂ）の位置に移動される。これにより、レンズホルダ４６は、コリメートレンズ１７による収差補正位置に位置づけられる。この収差補正動作時に、レンズホルダ４６は、ストロークＳｃの範囲で変位する。
【００４０】
図３は、上記光ピックアップ装置を内蔵する光ディスク装置の回路構成を示す図である。なお、同図には、光ディスク装置の回路構成のうち光ピックアップ装置に関連する部分のみが示されている。
【００４１】
信号増幅回路５１は、光検出器２８から入力される信号に基づいてフォーカスエラー信号（ＦＥ）、トラッキングエラー信号（ＴＥ）および再生信号（ＲＦ）を生成する。図４に、信号増幅回路５１の構成を示す。図示の如く、信号増幅回路５１は、５つの加算回路１０１〜１０４、１０７と２つの減算回路１０５、１０６から構成されている。上記の如く光検出器２８には４分割センサが配されており、同図に示す各センサＡ〜Ｄからの信号をＡ〜Ｄとすると、フォーカスエラー信号（ＦＥ）、トラッキングエラー信号（ＴＥ）および再生信号（ＲＦ）は、それぞれ、ＦＥ＝（Ａ＋Ｃ）−（Ｂ＋Ｄ）、ＴＥ＝（Ａ＋Ｂ）−（Ｃ＋Ｄ）、ＲＦ＝Ａ＋Ｂ＋Ｃ＋Ｄの演算により生成される。
【００４２】
図３に戻り、再生回路５２は、信号増幅回路５１から入力される再生信号（ＲＦ）を処理してデータを再生する。
【００４３】
サーボ回路５３は、信号増幅回路５１から入力されるフォーカスエラー信号（ＦＥ）およびトラッキングエラー信号（ＴＥ）に基づいてフォーカスサーボ信号とトラッキングサーボ信号を生成し、光ピックアップ装置内のコイル３２（対物レンズアクチュエータ）に供給する。また、サーボ回路５３は、ＢＤ再生時とＨＤ再生時に、信号増幅回路５１から入力される再生信号（ＲＦ）をモニタし、この信号が最良となるようコリメートレンズ２２、１７を駆動制御するためのサーボ信号（収差サーボ信号）を生成して、光ピックアップ装置内のモータ４５に供給する。
【００４４】
さらに、サーボ回路５３は、マイクロコンピュータ５５から入力される制御信号に応じて、１／２波長板１２と偏光ビームスプリッタ１５の間の光路中に１／２波長板１３が挿入される第１の位置と、この光路中に１／２波長板１４が挿入される第２の位置の何れかにレンズホルダ４１を位置づけるための信号をモータ４５に供給する。この他、サーボ回路５３は、フォーカス引き込みのための信号を光ピックアップ装置内のコイル３２（対物レンズアクチュエータ）に供給する。
【００４５】
レーザ駆動回路５４は、マイクロコンピュータ５５から入力される制御信号に応じて光ピックアップ装置内の半導体レーザ１１を駆動する。マイクロコンピュータ５５は、内蔵メモリに格納されたプログラムに従って各部を制御する。
【００４６】
図５を参照して、光ピックアップ装置の動作について説明する。
【００４７】
同図（ａ）を参照して、光ディスク装置にＢＤが装着された場合、レンズホルダ４１が第１の位置に位置づけられ、１／２波長板１２と偏光ビームスプリッタ１５の間の光路中に１／２波長板１３が挿入される。このとき、コリメートレンズ２２は、図２のストロークＳａ内の初期位置（レーザ光を平行光とするために予め設定された位置）に位置づけられる。このようにして１／２波長板１３が光路中に挿入されると、レーザ光は、１／２波長板１３を透過することにより、偏光ビームスプリッタ１５に対してＳ偏光とされる。これにより、レーザ光は、偏光ビームスプリッタ１５によって略全反射される。
【００４８】
偏光ビームスプリッタ１５によって反射されたレーザ光は、コリメートレンズ２２によって平行光とされた後、ミラー２３によって反射され、さらに、立ち上げミラー２６によって、ＢＤ用対物レンズ２６に向かう方向へと反射される。その後、レーザ光は、１／４波長板２５によって円偏光に変換され、対物レンズ２６によってＢＤ上に収束される。
【００４９】
ＢＤによって反射されたレーザ光は、再び１／４波長板２５を透過することにより、ＢＤに向かう際の偏光方向に直交する直線偏光に変換される。しかる後、このレーザ光は、上記光路を逆行し、偏光ビームスプリッタ１５に入射する。このとき、このレーザ光は、偏光方向が偏光ビームスプリッタ１５に対してＰ偏光となっているため、偏光ビームスプリッタ１５を略全透過する。その後、このレーザ光は、アナモレンズ２７によって非点収差が導入され、光検出器２８の受光面（４分割センサ）上に収束する。
【００５０】
なお、ＢＤに対する再生動作中、モータ４５には収差サーボ信号が供給され、コリメートレンズ２２が、収差補正のストローク範囲（図２のストロークＳａ）内において光軸方向に微動される。これにより、ＢＤ上においてレーザ光に生じる収差が抑制される。
【００５１】
同図（ｂ）を参照して、光ディスク装置にＨＤが装着された場合、レンズホルダ４１が第２の位置に位置づけられ、１／２波長板１２と偏光ビームスプリッタ１５の間の光路中に１／２波長板１４が挿入される。このとき、コリメートレンズ１７は、図２のストロークＳｃ内の初期位置（レーザ光を平行光とするために予め設定された位置）に位置づけられる。これによりレーザ光は、偏光ビームスプリッタ１５に対してＰ偏光とされ、偏光ビームスプリッタ１５を略全透過する。
【００５２】
偏光ビームスプリッタ１５を透過したレーザ光は、ミラー１６によって反射され、コリメートレンズ１７によって平行光とされる。その後、レーザ光は、ミラー１８によって反射され、さらに、立ち上げミラー１９によって、ＨＤ用対物レンズ２１に向かう方向へと反射される。その後、レーザ光は、１／４波長板２０によって円偏光に変換され、対物レンズ２１によってＨＤ上に収束される。
【００５３】
ＨＤによって反射されたレーザ光は、再び１／４波長板２０を透過することにより、ＨＤに向かう際の偏光方向に直交する直線偏光に変換される。しかる後、このレーザ光は、上記光路を逆行し、偏光ビームスプリッタ１５に入射する。このとき、このレーザ光は、偏光方向が偏光ビームスプリッタ１５に対してＳ偏光となっているため、偏光ビームスプリッタ１５によって略全反射される。その後、このレーザ光は、アナモレンズ２７によって非点収差が導入され、光検出器２８の受光面（４分割センサ）上に収束する。
【００５４】
なお、ＨＤに対する再生動作中、モータ４５には収差サーボ信号が供給され、コリメートレンズ１７が、収差補正のストローク範囲（図２のストロークＳｃ）内において光軸方向に微動される。これにより、ＨＤ上においてレーザ光に生じる収差が抑制される。
【００５５】
図６を参照して、光ディスク装置の再生動作について説明する。
【００５６】
再生動作が開始されると、半導体レーザ１１がＯＮされ（Ｓ１０１）、レンズホルダ４１が第１の位置に移動される（Ｓ１０２）。これにより、ＢＤ用対物レンズ２６を介してレーザ光が再生対象ディスクに照射される。このとき、コリメートレンズ２２は、図２のストロークＳａ内の初期位置に位置づけられる。
【００５７】
しかる後、対物レンズホルダ３１がフォーカス方向に移動され、再生対象ディスクに対するレーザ光のフォーカス引き込みが試行される（Ｓ１０３）。再生対象ディスクがＢＤであれば、フォーカスエラー信号上に十分な波形振幅のＳ字カーブが現れ、フォーカス引き込みが可能となる（Ｓ１０４：ＹＥＳ）。この場合、マイクロコンピュータ５５は、再生対象ディスクがＢＤであると判別し、サーボ回路５３にＢＤ用のサーボ処理を行わせる（Ｓ１０５）。これにより、ＢＤ用対物レンズ２６に対しサーボ（フォーカスサーボ、トラッキングサーボ）が掛けられ、また、コリメートレンズ２２に収差サーボが掛けられる。しかる後、当該ディスクに対する再生処理が行われる（Ｓ１０６）。
【００５８】
一方、再生対象ディスクがＢＤでなければ、カバー層の相違等から、フォーカスエラー信号上に十分な波形振幅のＳ字カーブが現れず、フォーカス引き込みが不能となる（Ｓ１０４：ＮＯ）。この場合、マイクロコンピュータ５５は、再生対象ディスクがＢＤでないと判別し、レンズホルダ４１を第２の位置に移動させる（Ｓ１０７）。これにより、レンズホルダ４６がバネ４７の付勢に抗して変位され、コリメートレンズ２２が、図２のストロークＳｃ内の初期位置に位置づけられる。これにより、ＨＤ用対物レンズ２１を介してレーザ光が再生対象ディスクに照射される。
【００５９】
しかる後、マイクロコンピュータ５５は、再生対象ディスクに対するレーザ光のフォーカス引き込みを再試行させる（Ｓ１０８）。再生対象ディスクがＨＤであれば、フォーカスエラー信号上に十分な波形振幅のＳ字カーブが現れ、フォーカス引き込みが可能となる（Ｓ１０９：ＹＥＳ）。この場合、マイクロコンピュータ５５は、再生対象ディスクがＨＤであると判別し、サーボ回路５３にＨＤ用のサーボ処理を行わせる（Ｓ１１０）。これにより、ＨＤ用対物レンズ２１に対しサーボ（フォーカスサーボ、トラッキングサーボ）が掛けられ、また、コリメートレンズ１７に収差サーボが掛けられる。しかる後、当該ディスクに対する再生処理が行われる（Ｓ１１１）。
【００６０】
Ｓ１０８におけるフォーカス引き込みにおいてフォーカスエラー信号上に十分な波形振幅のＳ字カーブが現れない場合、マイクロコンピュータ５５は、再生対象ディスクがＢＤでもＨＤでもないと判別し、当該ディスクに対する再生動作を中止する（Ｓ１１２）。この場合、ディスク排出やモニタ上におけるエラー表示等によって、ユーザにディスクエラーが報知される。
【００６１】
以上、本実施の形態によれば、コリメートレンズ２２を駆動するアクチュエータを用いて１／２波長板１３、１４が光路中に挿脱され、レーザ光の入射対象がＢＤ用対物レンズ２６とＨＤ用対物レンズ２１の間で切り替えられる。よって、別途、１／２波長板を駆動するための構成が不要となり、光ピックアップ装置の構成の簡素化が図られる。また、光路切り替え手段とした安価な１／２波長板１３、１４が用いられるため、光ピックアップ装置のコスト上昇を抑制できる。さらに、光路切り替えの際、モータ４５の駆動を制御するのみでよいため、光ディスク装置側の回路構成ないし制御処理も簡素なものとなる。
【００６２】
さらに、本実施の形態によれば、図２に示す被支持部４１ｃと被支持部４６ａ、４６ｂ間に隙間を設けることにより、レンズホルダ４６の駆動ストロークが抑制され、ミラー１６、１８間の光路を短縮できる。よって、本実施の形態によれば、レイアウト上、ミラー１６、１８間の光路を大きく取れない場合にも、共通のモータ４５にてコリメートレンズ１７を円滑に駆動することができる。
【００６３】
このように、本実施の形態によれば、簡素な構成にて円滑にレーザ光を２つの対物レンズ２１、２６に振り分け得る光ピックアップ装置およびそれを内蔵した光ディスク装置が提供される。
【００６４】
なお、本発明は上記実施の形態に制限されるものではなく、また、本発明の実施形態も、上記以外に種々の変更が可能である。
【００６５】
たとえば、上記実施の形態では、２つの１／２波長板１３、１４を用いて、偏光ビームスプリッタ１５に対するレーザ光の偏光方向をＰ偏光とＳ偏光の間で切り替えるようにしたが、図７に示すように、一つの１／２波長板６０を用いて偏光ビームスプリッタ１５に対するレーザ光の偏光方向をＰ偏光とＳ偏光の間で切り替えるようにすることもできる。この場合、１／２波長板１２を透過した後のレーザ光の偏光方向が偏光ビームスプリッタ１５に対してＰ偏光となるよう調整される。また、１／２波長板６０は、これを透過したレーザ光の偏光方向が偏光ビームスプリッタ１５に対してＳ偏光となるよう調整される。
【００６６】
なお、図７の構成では、レンズホルダ４１が第２の位置に移動したときに透明板６１が光路中に挿入されるよう構成されているが、この場合、特に透明板６１を配さずに単なる空間をレーザ光が通過するようにしても、光路に対する１／２波長板６０の挿脱のみによって、レーザ光の偏光方向をＰ偏光とＳ偏光の間で切り替えることができる。しかし、単なる空間とした場合には、１／２波長板６０を透過したときのレーザ光と空間を通過したときのレーザ光の間に光路長の差が生じ、その結果、光検出器２８の受光面上における両レーザ光の収束位置が光軸方向に前後するようになり、一つの受光面によって両レーザ光を円滑に受光できなくなる。
【００６７】
図７の構成では、このような不都合を解消するために透明板６１が配されている。ここで、この透明板６１は、レーザ光が１／２波長板６０を通過するときと同じ光路長となるような厚みを有している。このように透明板６１を配することにより、１／２波長板６０を透過したときと透明板６１を通過したときとでレーザ光の光路長に差が生じず、このため、光検出器２８の受光面上における両レーザ光の収束位置を整合させることができる。よって、共通の受光面にて両レーザ光を円滑に受光できるようになる。
【００６８】
この他、ＨＤ用対物レンズ２１とＢＤ用対物レンズ２６を図８に示すように配置することもできる。この場合、図１におけるミラー１８、２３を省略でき、構成の簡素化と部品点数の減少が図られる。
【００６９】
また、上記実施の形態では、１ビームプッシュプルにてトラッキングエラー信号（ＴＥ）を生成するようにしたが、光ディスク装置が記録にも対応可能である場合には、３ビームを用いたＤＰＰ（Deferential Push Pull）法によりトラッキングエラー信号を生成するよう構成することもできる。この場合、図１における１／２波長板１２が、図９に示す如く、３ビーム用回折格子が表面に形成された１／２波長板６２に置き換えられる。１／２波長板６２は、たとえば、レーザ光の偏光方向を図１（ｃ）に示すような方向に調整する機能と、半導体レーザ１１からのレーザ光を回折により３ビームに分割する機能の両方を備えている。
【００７０】
なお、ＢＤとＨＤはトラックピッチが互いに異なるため、３ビーム用回折格子のパターンにはインライン方式のパターンが適用される。こうすれば、記録再生対象ディスクがＢＤ、ＨＤの何れであるかに拘わらず共通の受光面にて各ディスクからの反射光を受光できる。なお、インライン方式によるＤＰＰ法は従来周知であるため、ここでは説明を省略する。
【００７１】
図１０は、ＤＰＰ法を用いる場合における信号増幅回路５１の構成を示す。ここでは、図４に比べ、加算回路１１１〜１１６と、減算回路１１７、１１９と、定倍回路１１８が追加されている。なお、光検出器２８には、サブビーム受光用の４分割センサＥ〜Ｇ、Ｉ〜Ｌが追加される。
【００７２】
４分割センサＡ〜Ｌから出力される信号をＡ〜Ｌとすると、トラッキングエラー信号（ＴＥ）は、ＴＥ＝（Ａ＋Ｂ）−（Ｃ＋Ｄ）−α{(Ｅ＋Ｉ＋Ｆ＋Ｊ)−（Ｇ＋Ｋ＋Ｈ＋Ｌ）}の演算より生成される。フォーカスエラー信号（ＦＥ）と再生信号（ＲＦ）は上記実施の形態の場合と同様にして生成される。
【００７３】
ところで、上記実施の形態では、偏光ビームスプリッタ１５によって反射された後のレーザ光の光軸と同じ方向に１／２波長板１３、１４を移動させるようにしたが、図１１に示すように、偏光ビームスプリッタ１５を透過した後のレーザ光の光軸と同じ方向に１／２波長板１３、１４を移動させるよう構成することもできる。この場合、コリメートレンズ１７、２２はＸ軸方向に変位され、レーザ光に生じる収差が抑制される。また、偏光ビームスプリッタ１５からアナモレンズ２７へと向かうレーザ光が遮られないよう、レンズホルダ４１の舌片４１ａに開口４１ｄが形成されている。さらに、半導体レーザ１１と１／２波長板１２の配置が図示の如く変更され、１／２波長板１３または１４を透過した後のレーザ光を偏光ビームスプリッタ１５へと導くミラー６３が追加されている。
【００７４】
この他、上記実施の形態は、ＢＤとＨＤの互換型光ピックアップ装置およびそれを内蔵する光ディスク装置に本発明を適用したものであったが、本発明は、これ以外の互換型ピックアップ装置にも適宜適用可能である。また、上記ではコリメートレンズを変位させるアクチュエータに光路切り替え用の波長板を配するようにしたが、エキスパンダレンズ等の他の光学素子を変位させるアクチュエータに光路切り替え用の波長板を配するようにしても良い。さらに上記実施の形態では、１／２波長板１２を用いてレーザ光の偏光方向を調整しているが、光軸を軸に半導体レーザ１１を回転させることによりレーザ光の偏光方向を調整するようにすることもできる。
【００７５】
この他、本発明の実施の形態は、特許請求の範囲に示された技術的思想の範囲内において、適宜、種々の変更が可能である。
【図面の簡単な説明】
【００７６】
【図１】実施の形態に係る光ピックアップ装置の構成を示す図
【図２】実施の形態に係るレンズホルダの駆動ストロークを説明する図
【図３】実施の形態に係る光ディスク装置の回路構成を示す図
【図４】実施の形態に係る信号増幅回路の構成を示す図
【図５】実施の形態に係る光ピックアップ装置の動作を説明する図
【図６】実施の形態に係る光ディスク装置の再生動作を示す図
【図７】実施の形態に係る光ピックアップ装置の変更例を示す図
【図８】実施の形態に係る光ピックアップ装置の変更例を示す図
【図９】実施の形態に係る光ピックアップ装置の変更例を示す図
【図１０】実施の形態に係る信号増幅回路の変更例を示す図
【図１１】実施の形態に係る光ピックアップ装置の変更例を示す図
【符号の説明】
【００７７】
１１  …  半導体レーザ
１３  …  １／２波長板
１４  …  １／２波長板
１５  …  偏光ビームスプリッタ
１７  …  コリメートレンズ
２１  …  ＨＤ用対物レンズ
２２  …  コリメートレンズ
２６  …  ＢＤ用対物レンズ
４１  …  レンズホルダ
４１ａ  …  舌片
４１ｃ  …  被支持部
４２ａ、ｂ、ｃ  …  ガイドシャフト
４４  …  ラックギア
４５  …  モータ
４５ａ  …  ウォームギア
４６  …  レンズホルダ
４６ａ、ｂ  …  被支持部
４７  …  バネ
５１  …  信号増幅回路
５３  …  サーボ回路
５５  …  マイクロコンピュータ
６０  …  １／２波長板
６１  …  透明板
【図１】
2008192205.tif 000003
【図２】
2008192205.tif 000004
【図３】
2008192205.tif 000005
【図４】
2008192205.tif 000006
【図５】
2008192205.tif 000007
【図６】
2008192205.tif 000008
【図７】
2008192205.tif 000009
【図８】
2008192205.tif 000010
【図９】
2008192205.tif 000011
【図１０】
2008192205.tif 000012
【図１１】
2008192205.tif 000013